(57)【要約】【課題】録音を行うたびに録音形式の設定を行わなければならない煩雑さを解消する。【解決手段】設定された録音形式に従って音声の録音を行う録音手段（ステップ４８）を備えた録音装置において、録音手段による録音の開始に先立ち、録音開始時点に対応するユーザのスケジュールデータに基づき、録音形式の設定を行う設定手段（ステップ４２〜４５）を設ける。さらに、スケジュールデータについての所定の各ジャンルに対応する録音形式を定義したテーブルを記憶する記憶手段を設け、設定手段は、録音形式の設定を行うに際し、基礎とするスケジュールデータにおいてジャンルの設定がなされている場合には、該ジャンル及び前記テーブルに基づいて録音形式の設定を行う（ステップ４４、４５）ようにする。【選択図】図２
2010123152.tif 000002
【特許請求の範囲】
【請求項１】
設定された録音形式に従って音声の録音を行う録音手段を備えた録音装置であって、
前記録音手段による録音の開始に先立ち、録音開始時点に対応するユーザのスケジュールデータに基づき、前記録音形式の設定を行う設定手段を具備することを特徴とする録音装置。
【請求項２】
スケジュールデータについての所定の各ジャンルに対応する録音形式を定義したテーブルを記憶する記憶手段を備え、
前記設定手段は、前記録音形式の設定を行うに際し、基礎とするスケジュールデータにおいて前記ジャンルの設定がなされている場合には、該ジャンル及び前記テーブルに基づいて録音形式の設定を行うことを特徴とする請求項１に記載の録音装置。
【請求項３】
スケジュールデータに含まれ得る所定の各文字列に対応する録音形式を定義したテーブルを備え、
前記設定手段は、前記録音形式の設定を行うに際し、基礎とするスケジュールデータにおいていずれかの前記文字列が含まれている場合には、該文字列及び前記テーブルに基づいて録音形式の設定を行うことを特徴とする請求項１又は２に記載の録音装置。
【請求項４】
前記ユーザのスケジュールデータは、他の装置において記憶されており、
前記設定手段は、該他の装置にアクセスして該スケジュールデータを参照するものであることを特徴とする請求項１〜３のいずれか１項に記載の録音装置。
【請求項５】
請求項１〜４のいずれかの録音装置における各手段としてコンピュータを機能させることを特徴とするプログラム。
【請求項６】
設定された録音形式に従って音声の録音を行う録音工程を備えた録音方法であって、
前記録音工程による録音の開始に先立ち、録音開始時点に対応するユーザのスケジュールデータに基づき、前記録音形式の設定を行う設定工程を具備することを特徴とする録音方法。
【発明の詳細な説明】
【技術分野】
【０００１】
本発明は、録音装置、該録音装置における各手段としてコンピュータを機能させるプログラム、及び該録音装置に適した録音方法に関する。
【０００２】
録音機能を備えたＤＡＰ（デジタルオーディオプレーヤ）やミニコンポにおいては、録音に使用することができる録音形式として数種類のものを選択可能なように用意している場合が多い。録音形式としては、たとえば、録音により記録されるデータを格納するファイルのファイル形式やビットレートが該当する。この場合、ユーザは、録音用途に合わせて適用する録音形式を設定する必要がある。たとえば、会議を録音する場合には、ＭＰ３やＷＭＡ等の圧縮ファイル形式で録音するように設定し、楽器音を録音する場合は非圧縮形式のＰＣＭフォーマットを適用するように設定する場合がある。また、これら以外の種類の録音形式として、録音をステレオ又はモノラルで行うかといったような録音形式を設定する場合もある。
【０００３】
なお、ＭＰ３やＷＭＡ等の圧縮形式のデータにより録音を行う場合に、録音に要するデータ容量及び録音に供することができる残容量に応じた圧縮率を適用して録音を行うようにした技術が知られている（たとえば、特許文献１参照）。
【０００４】
【特許文献１】特開２００５−０２５９２８号公報
【発明の開示】
【発明が解決しようとする課題】
【０００５】
上述のように、従来のＤＡＰ等によれば、設定可能な録音形式として何種類かのものが存在するので、ユーザは録音を行う都度、録音対象を考慮して、録音形式を設定する必要があり、煩雑である。
【０００６】
本発明の目的は、かかる従来技術の問題点に鑑み、録音装置において、録音を行うたびに録音形式の設定を行わなければならない煩雑さを解消することにある。
【課題を解決するための手段】
【０００７】
この目的を達成するため、第１の発明に係る録音装置は、設定された録音形式に従って音声の録音を行う録音手段を備えた録音装置であって、前記録音手段による録音の開始に先立ち、録音開始時点に対応するユーザのスケジュールデータに基づき、前記録音形式の設定を行う設定手段を具備することを特徴とする。
【０００８】
第２の発明に係る録音装置は、第１発明において、スケジュールデータについての所定の各ジャンルに対応する録音形式を定義したテーブルを記憶する記憶手段を備え、前記設定手段は、前記録音形式の設定を行うに際し、基礎とするスケジュールデータにおいて前記ジャンルの設定がなされている場合には、該ジャンル及び前記テーブルに基づいて録音形式の設定を行うことを特徴とする。
【０００９】
第３の発明に係る録音装置は、第１又は第２発明において、スケジュールデータに含まれ得る所定の各文字列に対応する録音形式を定義したテーブルを備え、前記設定手段は、前記録音形式の設定を行うに際し、基礎とするスケジュールデータにおいていずれかの前記文字列が含まれている場合には、該文字列及び前記テーブルに基づいて録音形式の設定を行うことを特徴とする。
【００１０】
第４の発明に係る録音装置は、第１〜第３のいずれかの録音装置において、前記ユーザのスケジュールデータは、他の装置において記憶されており、前記設定手段は、該他の装置にアクセスして該スケジュールデータを参照するものであることを特徴とする。
【００１１】
第５の発明に係るプログラムは、第１〜第４のいずれかの発明に係る録音装置における各手段としてコンピュータを機能させることを特徴とする。
【００１２】
第６の発明に係る録音方法は、設定された録音形式に従って音声の録音を行う録音工程を備えた録音方法であって、前記録音工程による録音の開始に先立ち、録音開始時点に対応するユーザのスケジュールデータに基づき、前記録音形式の設定を行う設定工程を具備することを特徴とする。
【発明の効果】
【００１３】
本発明によれば、録音を行うたびに録音形式の設定を行わなければならない煩雑さを解消することができる。
【発明を実施するための最良の形態】
【００１４】
図１は、本発明の一実施形態に係る録音装置の構成を示すブロック図である。同図に示すように、この録音装置は、各部の制御や音声データについてのエンコード、デコード等の処理を行うＣＰＵ１１、ＣＰＵ１１がアクセスするメモリ部１２、ＣＰＵ１１に対して指令を与えるためのキー入力部１３、ＣＰＵ１１が表示を行うための表示部１４、ＣＰＵ１１が外部の機器との間でＵＳＢ規格に従ってデータ転送を行うためのＵＳＢ端子１５、マイクを接続するためのマイク端子１６、マイク端子１６に接続されたマイクからのアナログ音声信号をデジタル音声信号に変換するＡＤコンバータ１７、ＣＰＵ１１からのデジタル音声信号をアナログ音声信号に変換するＤＡコンバータ１８、ＤＡコンバータ１８からのアナログ音声信号をヘッドホンに供給するためのヘッドホン端子１９を備える。
【００１５】
キー入力部１３及び表示部１４はユーザインタフェースを構成しており、ユーザは表示部１４の表示を見ながらキー入力部１３を介してＣＰＵ１１に対し必要な指示を与えることができる。ＣＰＵ１１はキー入力部１３を介して与えられる指示に応じて、ＡＤコンバータ１７からのデジタル音声信号に対し、エンコードや音響効果付与等のデジタル信号処理を施し、メモリ部１２や、ＤＡコンバータ１８、ＵＳＢ端子１５に供給することができる。また、メモリ部１２やＵＳＢ端子１５に接続されたＵＳＢメモリから楽曲データを読み出し、必要な信号処理を施して、ＵＳＢメモリや、メモリ部１２、ＤＡコンバータ１８に供給することができる。たとえば、キー入力部１３を介してユーザからマイクを用いた録音を行う旨の指示が与えられると、ＣＰＵ１１は、マイク端子１６及びＡＤコンバータ１７を介して入力されるデジタル音声信号に対してエンコード等の処理を施し、メモリ部１２へ所定のファイル形式で書き込むことにより、マイクからの録音を行う。
【００１６】
録音装置は所定のプログラムに従ってＣＰＵ１１が実現するスケジュール管理機能を有する。このスケジュール管理機能において扱われる個々のスケジュールデータには、スケジュールについての所定のジャンルを設定することができる。ジャンルとしては、たとえば「会議」や、「音楽」、「外出」、「宴会」が該当する。ジャンルの設定は、各スケジュールの入力時にドロップダウンリスト等からユーザが選択することによって行われる。録音装置はまた、録音の開始に先立ち、その録音に適用される録音形式を、ユーザの指示に基づき、又は録音開始時点に対応するユーザのスケジュールデータに基づいて設定する機能を有する。録音形式としてはたとえば、録音データを格納するファイルの形式やビットレートが該当する。
【００１７】
図２はスケジュール管理機能において表示されるスケジュール管理画面の一例を示す。図中の２１は画面上に表示中のスケジュールの日付けの表示、２２は表示するスケジュールを前日の日付けのものに変更するための操作ボタンの表示、２３は表示するスケジュールを次の日の日付けのものに変更するための操作ボタンの表示、２４は表示するスケジュールの時間帯を前後に送るための操作バーの表示、２５は各時間帯についてのスケジュール内容の表示領域である。スケジュール管理画面の表面にはキー入力部１３を構成するタッチパネルが設けられており、操作ボタン２２、２３や操作バー２４による操作を可能としている。
【００１８】
ユーザはボタン図形２２や２３を操作することにより所望の日付けのスケジュールを表示させることができる。表示しているスケジュールの日付けは日付けの表示２１により確認することができる。バー図形２４を操作することにより、上下に画面表示をスクロールさせ、所望の時間帯のスケジュールを表示させることができる。さらに、所望の時間帯のスケジュール内容の表示領域２５を押下することにより、その時間帯のスケジュールの編集を行う編集モードに移行させることができる。編集には、キー入力部１３を構成する各種キーを用いることができる。編集に際しては、上述のドロップダウンリスト等を表示させ、ジャンルを選択することにより、編集中のスケジュールに対し、ジャンルを設定することができる。編集を終了すると、編集された内容により、スケジュールが設定されることになる。図２では、１５：００〜１６：００の時間帯及び１８：００〜１９：００の時間帯において設定されているスケジュールの内容が表示されている様子が示されている。スケジュールのジャンルとして、１５：００〜１６：００のスケジュールに対しては「会議」が設定され、１８：００〜１９：００のスケジュールに対しては「音楽」が設定されている。
【００１９】
このようなスケジュール管理機能は、ＰＤＡ（パーソナルデジタルアシスタント）におけるようなスケジュール管理ソフトにより実現される。設定されたスケジュールのデータは、メモリ部１２において記録される。なお、このようなスケジュール管理ソフトを有していない場合には、スケジュール管理機能を有する他の装置、たとえばパソコンや、ＰＤＡ、携帯電話、ミニコンポを、ＵＳＢ端子１５を介して接続し、該装置からスケジュールデータをメモリ部１２に転送させて記憶し、利用するようにしてもよい。さらに、該他の装置をＵＳＢ端子１５を介して接続し、該装置に記憶されているスケジュールデータを参照することができるようにしてもよい。
【００２０】
図３はメモリ部１２に記憶されている定義テーブルの一例を示す。このテーブルは、上術のスケジュールの各ジャンルに対応する録音形式を定義するものある。ここでは録音形式として、録音データのファイル形式及びビットレート（ＰＣＭの場合はサンプリング周波数）を定義している。ＣＰＵ１１はユーザの指示に応じ、このテーブルの内容を変更することができる。ＣＰＵ１１は、録音開始の指示が与えられたとき、その時点が、スケジュール管理機能により設定されてるいずれかのスケジュールの時間帯に属し、かつそのスケジュールについて図３中のいずれかのジャンルが設定されている場合には、そのジャンルに対応する録音形式で録音を行う。
【００２１】
たとえば図２の例によれば、２００８年９月１日の１５：００〜１６：００の間に録音の指示が与えられると、その時間帯のスケジュールについてのジャンルは「会議」に設定されているので、図３の定義に従い、ＭＰ３のファイル形式により、１２８［ｋｂｐｓ］のビットレートで録音が行われることになる。また、２００８年９月１日の１８時１５分に録音の指示が与えられると、その時点が属する時間帯のスケジュールについてのジャンルは「音楽」に設定されているので、図３の定義に従い、ＰＣＭにより、４４．１［ｋＨｚ］のサンプリング周波数で録音が行われることになる。なお、録音開始時点のスケジュールデータが存在しない場合やジャンルの設定がない場合には、ユーザによる録音形式についての指示がない限り、図３の定義テーブルにおいて定義されているデフォルト値に従い、ＭＰ３形式で、９６［ｋｂｐｓ］のビットレートにより録音がなされることになる。
【００２２】
図４はＣＰＵ１１による録音処理の一例を示すフローチャートである。この処理は、所定のプログラムに従って行われる。ユーザによる録音開始の指示に応じ、処理を開始すると、ＣＰＵ１１はまずステップ４１において、ユーザによる録音形式の指示があったかどうかを判定する。指示があったと判定した場合には、ステップ４６において、その指示に従い、録音形式を設定し、その後、ステップ４８において録音を開始する。ユーザによる指示がなかったと判定した場合にはステップ４２へ進み、スケジュールデータが参照可能であるかどうかを判定する。たとえば、他の機器に記憶されているスケジュールデータを参照するようになっている場合において、該他の機器が接続されていないような場合には参照可能ではないと判定されることになる。
【００２３】
スケジュールデータが参照可能であると判定した場合には、ステップ４３において、現在の時刻に関わるスケジュールデータが存在するかどうかを判定する。現在時刻に関わるスケジュールデータとは、ユーザが録音開始を指示した時点が属する時間帯について設定されているスケジュールデータである。たとえば、図２の例の場合、時１５時３０分に録音開始の指示があったとすると、それが属する１５：００〜１６：００の時間帯について設定されている「特許会議  会議室Ｄ」が該当する。
【００２４】
現在時刻に関わるスケジュールデータが存在すると判定した場合には、ステップ４４へ進み、該スケジュールデータについて、ジャンルが設定されており、かつそのジャンルに対応する録音形式が定義テーブルにおいて定義されているかどうかを判定する。定義されていると判定した場合にはステップ４５へ進み、定義内容に従い、録音形式を設定し、その後、ステップ４８において録音を開始する。
【００２５】
ステップ４２においてスケジュールデータの参照が可能でないと判定した場合や、ステップ４３において現在時刻に関わるスケジュールデータが存在しないと判定した場合、及びステップ４４において対応する録音形式の定義が存在しないと判定した場合には、ステップ４７へ進み、定義テーブルにおいてデフォルト値として定義されている録音形式を設定し、その後、ステップ４８において録音を開始する。
【００２６】
録音を開始した後、ステップ４９において、録音を終了する旨の指示を検出すると、録音を終了し、図４の処理を終了する。
【００２７】
本実施形態によれば、録音開始の指示があったとき、対応するスケジュールに設定されているジャンルについて定義されている録音形式に従って録音を行うようにしたため、録音形式の指示を行う必要なく、適切な録音形式により録音を行うことができる。
【００２８】
図５はＣＰＵ１１による録音処理の別の例を示すフローチャートである。図６はこの処理において参照される定義テーブルの一例を示す。このテーブルにおいては、会議や、音楽、外出に関連する各所定の文字列について、対応する会議モード、音楽モード、及び外出モードの録音形式が定義されている。会議に関連する文字列としては、たとえば、「会議」や、「講習」、「トーク」、「打合せ」が該当する。音楽に関連する文字列としてはたとえば、「楽器」や、「スタジオ」、「ライブ」、「コンサート」が該当する。外出に関連する文字列としては、たとえば、「外出」や、「散歩」、「買物」が該当する。
【００２９】
ユーザによる録音開始の指示に応じ、録音処理を開始すると、ＣＰＵ１１はまずステップ５１において、ユーザによる録音形式についての指示があったかどうかを判定する。該指示があったと判定した場合には、ステップ５２において、該指示に従い、録音形式を設定し、その後、ステップ６１において録音を開始する。該指示がなかったと判定した場合にはステップ５３へ進み、ユーザのスケジュールデータが参照可能であるかどうかを判定する。参照可能ではないと判定した場合には、ステップ６０へ進み、録音形式を図６の定義テーブルにおけるデフォルトモード（ＭＰ３、９６［ｋｂｐｓ］）に設定し、ステップ６１において録音を開始する。
【００３０】
ステップ５３においてスケジュールデータが参照可能であると判定した場合には、ステップ５４へ進み、現時点が属する時間帯のスケジュールデータにおいて、図６の定義テーブル中の会議に関連する文字列が存在するか否かを判定する。存在すると判定した場合には、ステップ５５において、図６の定義テーブルに基づき、録音形式を会議モード（ＭＰ３、１２８［ｋｂｐｓ］）に設定し、ステップ６１において録音を開始する。たとえば、図２の例の場合、現時点が１５時５分であれば、対応するスケジュールデータ中に「会議」が存在するので、会議モードの録音形式で録音が開始されることになる。
【００３１】
ステップ５４において会議に関連する文字列が存在しないと判定した場合には、ステップ５６へ進み、現時点が属する時間帯のスケジュールデータにおいて、音楽に関連する文字列が存在するかどうかを判定する。音楽に関連する文字列が存在すると判定した場合には、ステップ５７において録音形式を音楽モード（ＰＣＭ、４４．１［ｋＨｚ］）に設定し、ステップ６１において録音を開始する。たとえば図２の例の場合、現時点が１８時０分であれば、対応するスケジュールデータ中に「楽器」や「スタジオ」が存在するので、音楽モードの録音形式で録音が開始されることになる。
【００３２】
ステップ５６において音楽に関連する文字が存在しないと判定した場合には、ステップ５８へ進み、現時点が属する時間帯のスケジュールデータにおいて、外出に関連する文字列が存在するかどうかを判定する。外出に関連する文字列が存在すると判定した場合にはステップ５９において、録音フォーマットを外出モード（ＭＰ３、２５６［ｋｂｐｓ］）に設定し、ステップ６１において録音を開始する。録音を開始すると、図５の録音処理を終了する。
【００３３】
この録音処理によれば、録音開始の指示あったとき、対応するスケジュールデータ中に所定の文字列が存在するかどうかに基づいて、録音フォーマットを会議モード、音楽モード、又は外出モードに設定し、録音を開始するようにしたため、録音開始指示を行う時点でのスケジュールの設定がなされていれば、ユーザは録音開始の指示を行うだけで、その時点でのスケジュール内容に適した録音形式により録音を行うことができる。
【００３４】
なお、本発明は上述実施形態に限定されることなく、適宜変形して実施することができる。たとえば、上述においては、録音装置の種類については言及しなかったが、録音装置としては、録音機能を備え、スケジュールデータを参照することができ、録音形式を設定することができる機器であれば、本発明を適用することができる。たとえば、ＤＡＰや、コンポーネントステレオ、録音機能を備えたＰＤＡに対して適用することができる。
【００３５】
また、請求項４に記載したように、他の装置において記憶されているスケジュールデータを参照する場合、該スケジュールデータは複数のユーザによって管理されているものであってもよく、あるいは複数のスケジュールデータから用いるスケジュールデータを選択するようにしてもよい。
【００３６】
また、上述においては、設定できる録音形式として、ファイル形式やビットレートに関するものについて述べたが、これに限らず、ステレオ又はモノラルのうちのいずれで録音するかや、付与する音響効果に関するものであってもよい。たとえば、上述の会議モードの録音形式として、モノラルによる録音を行うものを採用するようにしてもよい。また、区切り（頭出しポイント）の設定を行うかどうかや、区切りの間隔を規定するようなパラメータに関するものであってもよい。たとえば、会議モードに対応するパラメータ値として、区切りの間隔を所定の短い間隔に規定するものを採用し、録音結果のサーチや編集が容易となるようしてもよい。
【図面の簡単な説明】
【００３７】
【図１】本発明の一実施形態に係る録音装置の構成を示すブロック図である。
【図２】図１の録音装置において表示されるスケジュール管理画面の一例を示す図である。
【図３】図１の録音装置のメモリ部に記憶されている定義テーブルの一例を示す図である。
【図４】図１の録音装置のＣＰＵにおける録音処理の一例を示すフローチャートである。
【図５】図１の録音装置のＣＰＵにおける録音処理の別の例を示すフローチャートである。
【図６】図６は図５の処理において参照される定義テーブルの一例を示す図である。
【符号の説明】
【００３８】
１１：ＣＰＵ、１２：メモリ部、１３：キー入力部、１４：表示部、１５：ＵＳＢ端子、１６：マイク端子、１７：ＡＤコンバータ、１８：ＤＡコンバータ、１９：ヘッドホン端子、２１：日付けの表示、２２，２３：ボタン図形、２４：バー図形、２５：表示領域。
【図１】
2010123152.tif 000003
【図６】
2010123152.tif 000004
【図２】
2010123152.tif 000005
【図３】
2010123152.tif 000006
【図４】
2010123152.tif 000007
【図５】
2010123152.tif 000008